(57)【要約】      （修正有）【課題】既存の街路灯の放熱ランプをＬＥＤに交換してＬＥＤ化するための街路灯用ＬＥＤ照明灯を提供する。【解決手段】放熱板２の一側面に放熱フィン５を形成し、放熱板２の他側面に複数のＬＥＤ１０を配置してＬＥＤ照明灯を構成する。放熱板２に一端部に形成する給電部１５が、円柱部１６の外周に設けた複数の端子片１７と、円柱部１６の底部に設けた接点部１８とを備え、街路灯のソケットに給電部１５を挿入する際、端子片１７がソケットのねじ型接点の凹凸部に沿って弾性変形し、端子片１７とねじ型接点とが接続され、接点部１８がソケットの底部接点と接触してＬＥＤ１０に給電される。【選択図】図２
0003184039.tif 000002
【実用新案登録請求の範囲】
【請求項１】
放熱板の一側面に放熱フィンを形成し、前記放熱板の他側面には複数のエレクトロルミネッセンスダイオード（以下、ＬＥＤという）を配置するとともに、前記放熱板に一端部に位置してねじ式ソケットに接続する給電部と備えたＬＥＤ照明灯であって、前記給電部が前記ソケットのねじ型接点に接続するための可撓性を有する複数の端子片と、前記ソケットの底部接点に接続する接点部とから成り、前記街路灯のソケットに前記給電部を挿入する際、前記端子片がねじ型接点の凹凸部に沿って弾性変形して前記ソケットの底部接点と前記接点部とが電気的に接続可能であることを特徴とするＬＥＤ照明灯。
【請求項２】
前記放熱板の一端に前記ソケットの内径より小径な円柱部を形成し、この円柱部の底部に前記接点部を、前記円柱部の外周に前記複数の端子片を設けたことを特徴とする請求項１記載のＬＥＤ照明灯。
【請求項３】
前記放熱フィンは、基板部と、この基板部の一側面に一体形成する平行する複数のフィンからなり、前記放熱板とは別に成形した複数の放熱フィンを前記放熱板に密着させて固定したことを特徴とする請求項１又は２記載のＬＥＤ照明灯。
【請求項４】
前記ＬＥＤ照明灯を既存の街路灯の光源として用いたことを特徴とする街路灯用ＬＥＤ照明灯。
【請求項５】
前記街路灯のソケットに前記給電部を挿入し、前記端子片を弾性的に前記ソケットのねじ型接点に押圧させることによって、前記ＬＥＤが前記街路灯の反射板側に向けた状態で姿勢が保持されることを特徴とする請求項４記載の街路灯用ＬＥＤ照明灯。
【請求項６】
前記放熱板が平板状で、街路灯電球にほぼ倣った楕円形であることを特徴とする請求項４又は５記載の街路灯用ＬＥＤ照明灯。
【考案の詳細な説明】
【技術分野】
【０００１】
本考案は、街路灯に装着するＬＥＤ照明灯、特に既存の街路灯に装着された水銀灯などに換えてＬＥＤ照明具を装着することが可能なＬＥＤ照明灯及び街路灯用ＬＥＤ照明灯に関する。
【背景技術】
【０００２】
近年のＬＥＤ光源の高出力化、高寿命化に伴い、省電化にも有利なＬＥＤ光源を光源として採用した照明器具が普及しつつあり、白熱電球代替用のＬＥＤ光源として、白熱電球と同じＥ形の口金を備え、白熱電球と同じ外観形状を有するＬＥＤランプが例えば特許文献１などで提案されている。しかし、特許文献１に示すＬＥＤランプは、一般家庭用の白熱電球の代替品として利用可能であるが、光源としてＨＩＤランプ等の放電ランプを使用する街路灯をＬＥＤ化する場合、特許文献１に示すような白熱電球の代替品と用いるＬＥＤランプでは、ＬＥＤの個数に制約があり、幅員のある自動車道など広い照射範囲が必要な街路灯照明用として用いるには光量が不足する。
【０００３】
そこで、特許文献２には、街路灯のＬＥＤ照明灯としては、基板上に複数個のＬＥＤを配置し、給電部に街路灯のねじ込み式ソケットに接続する照射方向調節機構付き口金を備える街路灯用のＬＥＤ照明灯が提案されている。この特許文献２に示すＬＥＤ照明灯は、平板状の放熱板に複数個のＬＥＤを配置することによって、街路灯に要求される照射範囲を、必要な照度でほぼ均等に照明することができ、また、照射方向調節機構付きねじ込み口金を備えることによって、街路灯のねじ込み式ソケットにＬＥＤ照明灯をねじ込んで装着した後、ねじ込み口金の照射方向調節機構によってＬＥＤ照明灯の向きが調整できるようになっている。
【先行技術文献】
【特許文献】
【０００４】
【特許文献１】特開２０１０−６１８５２号公報
【特許文献２】特開２０１１−９６４５３号公報
【考案の概要】
【考案が解決しようとする課題】
【０００５】
特許文献２に口金の照射方向調節機構は、ＬＥＤ照明灯の一端に設けた円筒体の固定部と、この固定部の外周に回動可能に外装する回動部とから成り、固定部の基部側にはロックねじが螺着されている。そして、ソケットにＬＥＤ照明灯のねじ込み口金を螺入し、ねじ込み口金を完全にねじ込んだ状態で、ＬＥＤ照明灯を把持して回動させることによってＬＥＤ照明灯の向きを調整した後、ロックねじを締めつけることによって、ＬＥＤ照明灯の向きを調整した状態で街路灯に対するＬＥＤ照明灯の位置を決めて固定するため、照射方向調節機構の構成が複雑で、コストアップを招くとともに、街路灯のソケットにねじ込み口金を螺着した後、ＬＥＤ照明灯の向きを調整し、さらに、ロックねじを締めつけるといった煩わしい作業が必要であり、ＬＥＤ照明灯の交換に手間がかかる、という課題を有していた。
【０００６】
そこで本考案は、上記課題に着目してなされたものであり、ＬＥＤ照明灯の交換がワンタッチで行えるとともに、構造を簡略化することが可能なＬＥＤ照明灯及び街路灯用ＬＥＤ照明灯を提供することを目的とする。
【課題を解決するための手段】
【０００７】
本考案は、放熱板の一側面に放熱フィンを形成し、前記放熱板の他側面には複数のエレクトロルミネッセンスダイオード（以下、ＬＥＤという）を配置するとともに、前記放熱板に一端部に位置してねじ式ソケットに接続する給電部と備えたＬＥＤ照明灯であって、前記給電部が前記ソケットのねじ型接点に接続するための可撓性を有する複数の端子片と、前記ソケットの底部接点に接続する接点部とから成り、前記街路灯のソケットに前記給電部を挿入する際、前記端子片がねじ型接点の凹凸部に沿って弾性変形して前記ソケットの底部接点と前記接点部とが電気的に接続可能であることを特徴とする。
【０００８】
また、本考案は、前記放熱板の一端に前記ソケットの内径より小径な円柱部を形成し、この円柱部の底部に前記接点部を、前記円柱部の外周に前記複数の端子片を設けたことを特徴とする。
【０００９】
また、本考案は、前記放熱フィンは、基板部と、この基板部の一側面に一体形成する平行する複数のフィンからなり、前記放熱板とは別に成形した複数の放熱フィンを前記放熱板に密着させて固定したことを特徴とする。
【００１０】
また、本考案は、前記ＬＥＤ照明灯を既存の街路灯の光源として用いたことを特徴とする。
【００１１】
また、本考案は、前記街路灯のソケットに前記給電部を挿入し、前記端子片を弾性的に前記ソケットのねじ型接点に押圧させることによって、前記ＬＥＤが前記街路灯の反射板側に向けた状態で姿勢が保持されることを特徴とする。
【００１２】
また、本考案は、前記放熱板が平板状で、街路灯電球にほぼ倣った楕円形であることを特徴とする。
【考案の効果】
【００１３】
本考案は、既存の街路灯の水銀灯をＬＥＤ照明灯に交換するだけで簡単にＬＥＤ化することでき、省電化に寄与できる。また、ＬＥＤ照明灯の給電部を街路灯のソケットに押し込むだけで、ＬＥＤ照明灯の端子片がソケットのねじ型接点に接触し、さらに、接点部がソケットの底部接点に接触して街路灯のソケットにＬＥＤ照明灯を電気的に接続することができる。この時、平板状の放熱板の片面に設けたＬＥＤを街路灯の反射板に向けた状態で保持する必要があり、一方、既存の街路灯はねじ型接点を備えたソケットを採用しているため、従来型のねじ込みタイプの口金では、ねじ込み終了位置において正確に放熱板のＬＥＤを街路灯の反射板に向いた状態で位置決めすることができないが、本考案は、端子片がソケットのねじ型接点の凹凸に沿って弾性変形して、接点部がソケットの底部接点に接触した状態で端子片自体の弾性力によって各端子片がソケットのねじ型接点に圧接してＬＥＤ照明灯が保持される。すなわち、単に放熱板の片面に設けたＬＥＤを街路灯の反射板に向けた状態でソケットにＬＥＤ照明灯の給電部を押し込むだけでよい。
【図面の簡単な説明】
【００１４】
【図１】本考案の一実施例を示すＬＥＤ照明灯の正面図である。
【図２】同上、ＬＥＤ照明灯の側面図である。
【図３】同上、ＬＥＤ照明灯の背面図である。
【図４】同上、ＬＥＤ照明灯を街路灯に装着した状態を示す断面である。
【図５】同上、給電部の斜視図である。
【図６】同上、ソケットとＬＥＤ照明灯の接続状態を示すソケットの断面図である。
【図７】同上、放熱フィンの変形例を示す背面図である。
【図８】同上、ＬＥＤ照明灯の変形例を示す正面図である。
【考案を実施するための形態】
【００１５】
以下、添付図面を参照して本考案のＬＥＤ照明灯の一実施例について説明する。
【００１６】
本考案のＬＥＤ照明灯１は、既存の街路灯３０に装着される水銀灯などを交換してＬＥＤ照明化するものであり、図１に示すように、放熱板２と、この放熱板２の一側面に固定する放熱フィン５、放熱板２の他側面に配置した複数のＬＥＤ１０及び前記放熱板２に一端部に突設する給電部１５などによってＬＥＤ照明灯１を構成している。
【００１７】
前記放熱板２は、アルミニウムなどに伝熱性に優れた平板状であり、図１に示すように、形状として前記既存の街路灯３０に装着される水銀灯の外形にほぼ沿った楕円形状に成形されている。また、放熱フィン５は前記放熱板２と同様、アルミニウムなどに伝熱性に優れた平板状の基板６と、この基板６に一体形成した平行する複数のフィン７とで構成され、基板６を放熱板２に密着させて該放熱板２に一体的に固定している。
【００１８】
街路灯３０は、図４に示すように、形例えば水銀灯などの光源と接続するためのねじ込み式のソケット３１と、前記水銀灯の照射光を反射する反射板３２、水銀灯を覆う透光性カバー３３とから成る。また、図６に示すように、前記ソケット３１は、その内周面のねじ型接点３４と、底部接点３５とを有しており、前記放熱板２の一端に形成する前記給電部１５を前記街路灯３０のソケット３１に挿入してＬＥＤ１０の電源を得ている。
【００１９】
前記給電部１５は、前記放熱板２の一端に突出する円柱部１６と、この円柱部１６の外周に設けた可撓性を有する複数の複数の端子片１７と、円柱部１６の底部に設けた接点部１８とで構成されている。前記円柱部１６は前記ソケット３１の内径より小径であり、円柱部１６をソケット３１に挿入する際、前記端子片１７がねじ型接点３４の凹凸部に沿って弾性変形し、その弾性復元力によって端子片１７をねじ型接点３４に押圧させて接触した状態で円柱部１６の底部に設けた接点部１８がソケット３１の底部接点３５に接触し、これによりＬＥＤ１０に電源が供給される。
【００２０】
また、本実施例のＬＥＤ照明灯１は、１２０Ｗ〜１４０Ｗ用を示しており、このＬＥＤ照明灯１に用いる放熱フィン５は、図３に示すように、同一形状の放熱フィン５を４枚組み合わせている。このように、同一形状の放熱フィン５を複数、成形し、ＬＥＤ照明灯１の大きさに応じて放熱フィン５を組み合わせることによって、例えば、図８に示すように、１８０Ｗ用のＬＥＤ照明灯１Ａは、ＬＥＤ１０の個数も多く、放熱板２の大きさも大型化するが、１２０Ｗ〜１４０Ｗ用のＬＥＤ照明灯１、１８０Ｗ用のＬＥＤ照明灯１Ａにも同一形状の放熱フィン５を用いることができ、部品の共通化が可能であり、汎用性にも優れる。なお、このように、共通する放熱フィン５を組み合わせてそれぞれのＬＥＤ照明灯１又は１Ａに取り付ける以外でも図７に示すように、例えば、１２０Ｗ〜１４０Ｗ用のＬＥＤ照明灯１において、放熱板２の形状に応じて放熱フィン５Ａを成形してもよい。このように放熱板２の形状に応じて楕円状の放熱フィン５Ａを成形すれば、より効率的に放熱することができる。
【００２１】
以上のように構成される本実施例において、ＬＥＤ照明灯１の取付手順について説明する。
【００２２】
図４に示すように、ＬＥＤ照明灯１は、ＬＥＤ１０を反射板３２側に向けるようにして円柱部１６を街路灯３０のソケット３１に挿入する。この際、前記各端子片１７がねじ型接点３４の凹凸部に沿って弾性変形し、各端子片１７の弾性復元力によって端子片１７が弾性的に前記ねじ型接点３４を押圧し、ＬＥＤ照明灯１のＬＥＤ１０が前記反射板３２側に向けた状態で姿勢が保持される。なお、ＬＥＤ照明灯１の電源としては街路灯３０の支柱（図示しない）内に別途、直流電源を組み込んで電源としてもよい。この場合であってもソケット３０はそのまま既存の街路灯３０のものを流用する。
【００２３】
以上のように、本実施例においては、既存の街路灯３０の水銀灯をＬＥＤ照明灯１に交換するだけで簡単にＬＥＤ化することでき、省電化に寄与できる。また、ＬＥＤ照明灯１の給電部１５を街路灯３０のソケット３１に押し込むだけで、ＬＥＤ照明灯１の端子片１７がソケット３１のねじ型接点３４に接触し、さらに、接点部１８がソケット３１の底部接点３５に接触してＬＥＤ１０に給電することができる。この時、平板状の放熱板２の片面に設けたＬＥＤ１０を街路灯３０の反射板３２に向けた状態で保持する必要があり、一方、既存の街路灯３０はねじ型接点３４を備えたソケット３１を採用しているため、従来型のねじ込みタイプの口金では、ねじ込み終了位置において正確に放熱板のＬＥＤ１０を街路灯３１の反射板３２に向いた状態で位置決めすることができないが、本考案は、端子片１７がソケット３１のねじ型接点３４の凹凸に沿って弾性変形して、接点部１８がソケット３１の底部接点３５に接触した状態で端子片１７自体の弾性力によって各端子片１７がソケット３１のねじ型接点３４に圧接してＬＥＤ照明灯１が保持される。すなわち、単に放熱板５の片面に設けたＬＥＤ１０を街路灯３０の反射板３２に向けた状態でソケット３０にＬＥＤ照明灯１の給電部１５を押し込むだけでよい。このように、各端子片１７を変形させて給電部１５をソケット３０に押し込むようにしてソケット３１にＬＥＤ照明灯１を接続することによって、ＬＥＤ照明灯１の姿勢が保持され、簡単かつ確実にＬＥＤ１０を街路灯３０の反射板３２に向けた状態で保持することができる。なお、ソケット３０に挿入して保持したＬＥＤ照明灯１は、必要に応じてＬＥＤ照明灯１の外端部に形成する固定用孔８に固定用ボルトあるいは固定ワイヤなどの適宜手段（図示しない）を通して街路灯３０に固定するようにすればより安定的に固定することができる。
【００２４】
以上、本考案の実施例について詳述したが、本考案は前記実施例に限定されるものではなく、本考案の要旨の範囲内で種々の変形実施が可能である。例えば、放熱板や端子片の形状、あるいは街路灯の構成などは適宜選定すればよい。
【符号の説明】
【００２５】
１，１Ａ  ＬＥＤ照明灯
２  放熱板
５，５Ａ  放熱フィン
６  基板
７  フィン
１０  ＬＥＤ
１５  給電部
１６  円柱部
１７  端子片
１８  接点部
３０  街路灯
３１  ソケット
３２  反射板
３３  透光性カバー
３４  ねじ型接点
３５  底部接点
【図１】
0003184039.tif 000003
【図２】
0003184039.tif 000004
【図３】
0003184039.tif 000005
【図４】
0003184039.tif 000006
【図５】
0003184039.tif 000007
【図６】
0003184039.tif 000008
【図７】
0003184039.tif 000009
【図８】
0003184039.tif 000010
【手続補正書】
【提出日】平成25年4月1日(2013.4.1)
【手続補正１】
【補正対象書類名】実用新案登録請求の範囲
【補正対象項目名】全文
【補正方法】変更
【補正の内容】
【実用新案登録請求の範囲】
【請求項１】
放熱板の一側面に放熱フィンを形成し、前記放熱板の他側面には複数のエレクトロルミネッセンスダイオード（以下、ＬＥＤという）を配置するとともに、前記放熱板の一端部に位置してねじ式ソケットに接続する給電部と備えたＬＥＤ照明灯であって、前記給電部が前記ソケットのねじ型接点に接続するための可撓性を有する複数の端子片と、前記ソケットの底部接点に接続する接点部とから成り、前記街路灯のソケットに前記給電部を挿入する際、前記端子片がねじ型接点の凹凸部に沿って弾性変形して前記ソケットの底部接点と前記接点部とが電気的に接続可能であることを特徴とするＬＥＤ照明灯。
【請求項２】
前記放熱板の一端に前記ソケットの内径より小径な円柱部を形成し、この円柱部の底部に前記接点部を、前記円柱部の外周に前記複数の端子片を設けたことを特徴とする請求項１記載のＬＥＤ照明灯。
【請求項３】
前記放熱フィンは、基板部と、この基板部の一側面に一体形成する平行する複数のフィンからなり、前記放熱板とは別に成形した複数の放熱フィンを前記放熱板に密着させて固定したことを特徴とする請求項１又は２記載のＬＥＤ照明灯。
【請求項４】
請求項１〜３のいずれか１項に記載のＬＥＤ照明灯を既存の街路灯の光源として用いたことを特徴とする街路灯。
【請求項５】
前記街路灯のソケットに前記給電部を挿入し、前記端子片を弾性的に前記ソケットのねじ型接点に押圧させることによって、前記ＬＥＤが前記街路灯の反射板側に向けた状態で姿勢が保持されることを特徴とする請求項４記載の街路灯。
【請求項６】
前記放熱板が平板状で、既存の街路灯電球にほぼ倣った楕円形であることを特徴とする請求項１〜３のいずれか１項に記載のＬＥＤ照明灯。
【手続補正３】
【補正対象書類名】明細書
【補正対象項目名】０００１
【補正方法】変更
【補正の内容】
【０００１】
本考案は、街路灯に装着するＬＥＤ照明灯、特に既存の街路灯に装着された水銀灯ななどに換えてＬＥＤ照明具を装着することが可能なＬＥＤ照明灯及びそのＬＥＤ照明灯を光源として用いた街路灯に関する。
【手続補正４】
【補正対象書類名】明細書
【補正対象項目名】０００６
【補正方法】変更
【補正の内容】
【０００６】
そこで本考案は、上記課題に着目してなされたものであり、ＬＥＤ照明灯の交換がワンタッチで行えるとともに、構造を簡略化することが可能なＬＥＤ照明灯及びそのＬＥＤ照明灯を光源として用いた街路灯を提供することを目的とする。
【手続補正５】
【補正対象書類名】明細書
【補正対象項目名】０００７
【補正方法】変更
【補正の内容】
【０００７】
本考案は、放熱板の一側面に放熱フィンを形成し、前記放熱板の他側面には複数のエレクトロルミネッセンスダイオード（以下、ＬＥＤという）を配置するとともに、前記放熱板の一端部に位置してねじ式ソケットに接続する給電部と備えたＬＥＤ照明灯であって、前記給電部が前記ソケットのねじ型接点に接続するための可撓性を有する複数の端子片と、前記ソケットの底部接点に接続する接点部とから成り、前記街路灯のソケットに前記給電部を挿入する際、前記端子片がねじ型接点の凹凸部に沿って弾性変形して前記ソケットの底部接点と前記接点部とが電気的に接続可能であることを特徴とする。
【手続補正６】
【補正対象書類名】明細書
【補正対象項目名】００１０
【補正方法】変更
【補正の内容】
【００１０】
また、本考案は、請求項１〜３のいずれか１項に記載のＬＥＤ照明灯を既存の街路灯の光源として用いたことを特徴とする。
【手続補正７】
【補正対象書類名】明細書
【補正対象項目名】００１２
【補正方法】変更
【補正の内容】
【００１２】
また、本考案は、前記放熱板が平板状で、既存の街路灯電球にほぼ倣った楕円形であることを特徴とする。